(57)【要約】【課題】身体へのまとわりつきを抑制すると共に、管理が容易であって、更に寝苦しさを解消することができる掛け布団を提供する。【解決手段】一実施形態に係る掛け布団は、第１方向Ｄ１及び第１方向Ｄ１に交差する第２方向に延びる第１布部２及び第２布部３を備えた掛け布団１である。掛け布団１は、第２方向に延びる一方の長辺２ｂ，３ｂから第２方向に延びる他方の長辺２ｂ，３ｂに向かって線状に延びており、第１布部２及び第２布部３よりも硬度が高い硬質部５を備える。【選択図】図３
2018171264.tif 000002
【特許請求の範囲】
【請求項１】
第１方向及び前記第１方向に交差する第２方向に延びる布部を備えた掛け布団であって、
前記第２方向に延びる一方の外縁から前記第２方向に延びる他方の外縁に向かって線状に延びており、前記布部よりも硬度が高い硬質部を備える、
掛け布団。
【請求項２】
前記第１方向は、前記掛け布団の幅方向であり、
前記幅方向に延びる複数の前記硬質部を備える、
請求項１に記載の掛け布団。
【請求項３】
前記硬質部は、前記第１方向の一方側に設けられる第１硬質部と、前記第１硬質部と別体とされており前記第１方向の他方側に設けられる第２硬質部と、を含む、
請求項１又は２に記載の掛け布団。
【発明の詳細な説明】
【技術分野】
【０００１】
本発明は、掛け布団に関する。
【背景技術】
【０００２】
実用新案登録第３２０３８９１号公報には、上面にゴザが乗せられた掛け布団が記載されている。このゴザは、い草の草茎が幅方向に延びるように織られることによって構成されている。ゴザは、掛け布団の上面の中央部分に配置される。また、ゴザは、その幅方向の一端及び他端のそれぞれに位置するゴザ縁部がファスナー又はホック等の止め具で止められることによって、掛け布団の上面に取り付けられる。このように、ゴザを掛け布団の上面に取り付けることによって掛け布団の剛性が高められ、これにより掛け布団が掛けられた身体への掛け布団のまとわりつきを抑制している。
【先行技術文献】
【特許文献】
【０００３】
【特許文献１】実用新案登録第３２０３８９１号公報
【発明の概要】
【発明が解決しようとする課題】
【０００４】
前述した掛け布団では、ゴザを上面に貼り付けることによって剛性を高め、これにより身体へのまとわりつきを抑制している。しかしながら、ゴザは、直射日光で日焼けして変色したり、表面がささくれてきたり、又はカビが生えたりすることが想定されるため、管理が面倒という問題がある。
【０００５】
また、前述の掛け布団では、い草の草茎が幅方向に延びているものの、ゴザは、掛け布団の上面で幅方向及び長手方向の両方に延びており、更に、ゴザ縁部は長手方向に延びているので、幅方向への曲げ剛性を高めることができているかどうか疑問である。前述の掛け布団では、掛け布団にハリを持たせることはできるものの、硬い平面状のゴザが間接的に身体に当たることになるため、寝苦しさの解消という点において改善の余地がある。
【０００６】
本発明は、身体へのまとわりつきを抑制すると共に、管理が容易であって、更に寝苦しさを解消することができる掛け布団を提供することを目的とする。
【課題を解決するための手段】
【０００７】
本発明の一側面に係る掛け布団は、第１方向及び第１方向に交差する第２方向に延びる布部を備えた掛け布団であって、第２方向に延びる一方の外縁から第２方向に延びる他方の外縁に向かって線状に延びており、布部よりも硬度が高い硬質部を備える。
【０００８】
この掛け布団では、第２方向に延びる一方の外縁から他方の外縁に向かって線状に延びる硬質部を備えている。このように、一方の外縁から他方の外縁に向かって線状に延びる硬質部を備えることにより、掛け布団全体としてハリを持たせることができる。掛け布団がハリを持つことによって掛け布団の形状を崩れにくくすることができるので、掛け布団の形状維持性能を高めることができる。従って、例えば夏場において、掛け布団を使用者の身体にまとわりつきにくくすることができるので、使用者の寝心地を良好にすることができる。また、この掛け布団は、平面状のゴザを有しないので、管理が面倒という問題を解消できる。更に、この掛け布団では、線状に延びる硬質部を備えるので、平面状の硬質部を備える場合と比較して、身体に当たる硬質部の面積を小さくすることができる。従って、身体に当たる硬質部の面積を小さくしつつハリを持たせることができるため、身体へのまとわりつきを抑制すると共に、硬質部が身体に当たることによる寝苦しさを解消することができる。
【０００９】
また、第１方向は、掛け布団の幅方向であり、幅方向に延びる複数の硬質部を備えてもよい。この場合、硬質部は掛け布団の幅方向に延びているので、幅方向における掛け布団の通気性を高めることができる。従って、長手方向に延びる硬質部を備える場合と比較して、通気性を更に高めることができる。よって、暑さを一層感じさせにくくすることができるので、使用者の寝心地を更に良好にすることができる。
【００１０】
また、硬質部は、第１方向の一方側に設けられる第１硬質部と、第１硬質部と別体とされており第１方向の他方側に設けられる第２硬質部と、を含んでもよい。この場合、第１方向の一方側に位置する第１硬質部と、第１方向の他方側に位置する第２硬質部とを備えることにより、第１方向の一方側、及び第１方向の他方側のそれぞれを局所的に硬くすることができる。また、第１方向の一方側と第１方向の他方側を硬くすることにより、第１硬質部と第２硬質部との間の部分を立ちやすくして寝床内空間を確実に確保することができる。従って、掛け布団の身体へのまとわりつきを一層確実に抑制することができる。
【発明の効果】
【００１１】
本発明によれば、身体へのまとわりつきを抑制すると共に、管理が容易であって、更に寝苦しさを解消することができる。
【図面の簡単な説明】
【００１２】
【図１】本実施形態に係る掛け布団を示す斜視図である。
【図２】図１の掛け布団を示す平面図である。
【図３】（ａ）は、図１の掛け布団に設けられる硬質部を示す図である。（ｂ）は、図１の掛け布団が用いられる状態の例を示す図である。
【図４】（ａ）は、第２実施形態に係る掛け布団に設けられる硬質部を示す図である。（ｂ）は、（ａ）の掛け布団が用いられる状態の例を示す図である。
【発明を実施するための形態】
【００１３】
以下、図面を参照しながら本発明に係る掛け布団の実施形態について説明する。以下の説明において、同一又は相当する要素には同一の符号を付し、重複する説明を省略する。
【００１４】
（第１実施形態）
本実施形態では、図１に示されるように、薄手の合い掛け布団である掛け布団１を例示して説明する。なお、本発明に係る掛け布団は、掛け布団１に限られず、タオルケット又はブランケット等、他の種類の掛け布団であってもよい。掛け布団１は、全体として長方形状を呈する。掛け布団１は、例えば春及び秋に用いられる。掛け布団１の外形は、長方形状の第１布部２（布部）と、第１布部２の裏側に位置する長方形状の第２布部３（布部）とによって形成されている。第１布部２及び第２布部３は、例えば互いに同一の形状及び同一の大きさとなっている。
【００１５】
図１及び図２に示されるように、第１布部２及び第２布部３は、その短手方向である第１方向Ｄ１、及びその長手方向である第２方向Ｄ２に延びる平布状となっている。ここで、第１方向Ｄ１は、例えば第２方向Ｄ２と直交している。第１布部２及び第２布部３の材料としては、綿、ポリエステル又はレーヨン等、種々のものを用いることが可能である。
【００１６】
第１布部２は、二つの短辺２ａと二つの長辺２ｂとを有しており、第２布部３も同様の短辺３ａと長辺３ｂとを有する。第１布部２の短辺２ａと第２布部３の短辺３ａとが合わされると共に、第１布部２の長辺２ｂと第２布部３の長辺３ｂとが合わされた状態で、短辺２ａと短辺３ａ、及び長辺２ｂと長辺３ｂが縫い込まれることにより、第１布部２と第２布部３とが縫い合わされる。また、第１布部２と第２布部３とが重なる方向である第３方向Ｄ３は、例えば、第１方向Ｄ１及び第２方向Ｄ２に直交している。
【００１７】
更に、掛け布団１は、第１布部２及び第２布部３によって形成される内部空間を仕切ると共に第２方向Ｄ２に延びる複数の直縫い部４と、当該内部空間に設けられると共に第１方向Ｄ１に延びる複数の硬質部５と、を備えている。例えば、直縫い部４は４本設けられており、硬質部５は１３本設けられている。４本の直縫い部４と１３本の硬質部５とは、第１布部２及び第２布部３において互いに直交している。例えば、４本の直縫い部４は互いに等間隔となるように配置されており、１３本の硬質部５も互いに等間隔となるように配置されている。
【００１８】
直縫い部４は、第１布部２又は第２布部３からミシン等で第２方向Ｄ２に直縫いを行うことによって形成される。直縫い部４では、糸が直接第１布部２及び第２布部３に縫い込まれることによって、第１布部２と第２布部３とが縫合されている。直縫い部４を構成する糸の材料としては、綿、ポリエステル又はレーヨン等、種々のものを用いることが可能である。
【００１９】
硬質部５は、第１布部２、第２布部３及び直縫い部４の糸、のいずれよりも硬い材料で構成されている。すなわち、硬質部５の硬度は、第１布部２、第２布部３及び直縫い部４の糸、のいずれよりも高い。硬質部５の材料は、例えば、シリコーン、又はグラスファイバーである。また、硬質部５は、例えば、樹脂製のワイヤ、針金、硬質の繊維、又はゴム状部材であってもよい。
【００２０】
硬質部５が樹脂製のワイヤである場合には、針金と比較して肌触りを良好にすることが可能である。硬質部５が針金である場合、掛け布団１のハリを一層強めることが可能である。なお、上記の針金に布がコーティングされていてもよい。また、硬質部５がゴム状部材である場合、掛け布団１にハリと共に高い弾性を持たせることが可能である。このように、硬度が高く第１方向Ｄ１に延びる硬質部５が配置されることにより、掛け布団１にハリを持たせることが可能となっている。
【００２１】
図３（ａ）は、第１方向Ｄ１及び第３方向Ｄ３に延びる面で掛け布団１を切断したときの第１布部２、第２布部３及び硬質部５の断面図である。図３（ａ）に示されるように、硬質部５は、第１布部２及び第２布部３の間に挟み込まれている。硬質部５は、例えば、第１布部２及び第２布部３に糸で縫い込まれていてもよい。また、硬質部５の長手方向に直交する断面で硬質部５を切断したときの断面は、例えば円形状である。但し、硬質部５の当該断面は、四角形状、三角形状等の多角形状、又は長円形状であってもよい。
【００２２】
次に、本実施形態に係る掛け布団１の作用効果について説明する。
【００２３】
図２に示されるように、掛け布団１では、第２方向Ｄ２に延びる一方の外縁（一方の長辺２ｂ）から他方の外縁（他方の長辺２ｂ）に向かって線状に延びる硬質部５を備えている。このように、一方の外縁から他方の外縁に向かって線状に延びる硬質部５を備えることにより、掛け布団１全体としてハリを持たせることができる。
【００２４】
図３（ｂ）に示されるように、掛け布団１がハリを持つことによって掛け布団１の形状を崩れにくくすることができるので、掛け布団１の形状維持性能を高めることができる。従って、例えば夏場等において、掛け布団１を使用者Ｍの身体にまとわりつきにくくすることができるので、使用者Ｍの寝心地を良好にすることができる。
【００２５】
また、掛け布団１では、ハリを持つことによって、掛け布団１と敷き寝具Ｆとの間に形状が維持された空間Ｓが形成される。このように、掛け布団１では、形状が崩れにくい空間Ｓを形成することができるので、空間Ｓの中で使用者Ｍに容易に寝返りを打たせることができる。従って、寝返り性を向上させることができるので、使用者Ｍに与える寝心地を良好にすることができる。
【００２６】
また、掛け布団１は、短辺２ａ，３ａが延びる方向を横方向、長辺２ｂ，３ｂが延びる方向を縦方向、として使用される。しかしながら、例えば冬場において、縦横を逆、すなわち、短辺２ａ，３ａが延びる方向を縦方向、長辺２ｂ，３ｂが延びる方向を横方向、として使用されてもよい。この場合、掛け布団１の下で使用者Ｍが寝返りを打っても掛け布団１を捲れにくくすることができるので、掛け布団１の下に冷たい空気を入りにくくすることができる。従って、使用者Ｍを寒さからより確実に守ることができるので、一層の寝心地の向上に寄与する。
【００２７】
また、掛け布団１では、線状に延びる硬質部５を備えるので、線状に沿った部分でハリを持たせることができる。このように線状に沿った部分でハリを持つことによって、平面状の硬質部を備える場合と比較して、身体に当たる硬質部５の面積を小さくすることができる。従って、身体に当たる硬質部５の面積を小さくしつつハリを持たせることができるため、身体へのまとわりつきを抑制することができると共に、硬質部が身体に当たることによる寝苦しさを解消することができる。
【００２８】
また、前述した第１方向Ｄ１は、掛け布団１の幅方向であり、掛け布団１は、幅方向に延びる複数の硬質部５を備えている。よって、硬質部５は掛け布団１の幅方向に延びているので、幅方向における掛け布団１の通気性を高めることができる。従って、第２方向Ｄ２に延びる硬質部を備える場合と比較して、通気性を更に高めることができる。よって、暑さを一層感じさせにくくすることができるので、使用者Ｍの寝心地を良好にすることができる。
【００２９】
（第２実施形態）
次に、第２実施形態に係る掛け布団１１について図４（ａ）及び図４（ｂ）を参照しながら説明する。図４（ａ）及び図４（ｂ）に示されるように、第２実施形態に係る掛け布団１１では、硬質部が、第１方向Ｄ１の一方側に位置する第１硬質部１５と、第１方向Ｄ１の他方側に位置する第２硬質部２５とを含んでいる点が第１実施形態と異なっている。以降の説明では、第１実施形態と重複する説明を適宜省略する。
【００３０】
掛け布団１１は、第１方向Ｄ１の中央部分に硬質部が無い領域Ａを有する。第１硬質部１５及び第２硬質部２５は、第１方向Ｄ１の中央付近から、互いに離れる方向に直線状に延びている。第１硬質部１５及び第２硬質部２５は、互いに対称に配置されていてもよい。また、第１硬質部１５及び第２硬質部２５は、共に、第２方向Ｄ２に沿って複数配置されている。第１硬質部１５及び第２硬質部２５の材料は、例えば硬質部５と同一の材料である。また、第１硬質部１５及び第２硬質部２５の材料は、互いに異なる材料であってもよい。
【００３１】
以上、第２実施形態に係る掛け布団１１は、第１方向Ｄ１の一方側に設けられる第１硬質部１５と、第１硬質部１５とは別体とされており第１方向Ｄ１の他方側に設けられる第２硬質部２５と、を含む。よって、第１方向Ｄ１の一方側に位置する第１硬質部１５と、第１方向Ｄ１の他方側に位置する第２硬質部２５とを備えることにより、第１方向Ｄ１の一方側、及び第１方向Ｄ１の他方側のそれぞれを局所的に硬くすることができる。
【００３２】
また、第１方向Ｄ１の一方側と第１方向Ｄ１の他方側を硬くすることにより、第１硬質部１５と第２硬質部２５の間の部分を立ちやすくして頂部Ｐを形成し、寝床内空間であって高い形状維持機能を備えた空間Ｓを確実に確保することができる。従って、掛け布団１１への身体へのまとわりつきを一層確実に抑制することができる。
【００３３】
以上、本発明に係る掛け布団の各実施形態について説明したが、本発明は、前述した実施形態に限定されることなく、請求項に記載した要旨を変更しない範囲で変形し、又は他のものに適用したものであってもよい。すなわち、本発明は、特許請求の範囲に記載した要旨を変更しない範囲で種々の変形が可能である。
【００３４】
前述の実施形態では、硬質部５、又は第１硬質部１５及び第２硬質部２５を備える掛け布団１，１１について説明した。しかしながら、硬質部としては、硬質部５、第１硬質部１５及び第２硬質部２５以外のものを用いることも可能である。
【００３５】
例えば、硬質部は、使用者の体温によって硬くなる熱硬化性を有する素材によって構成されていてもよい。この場合、使用者Ｍが掛け布団に入る前には硬質部を柔らかい状態とし、使用者Ｍが掛け布団に入って使用者Ｍの体温が伝達された部分の硬質部を硬くすることができる。更に、硬質部は、熱硬化性を有する素材と、当該素材を加熱する電熱線と、当該電熱線を発熱させるスイッチとを備えていてもよい。この場合、例えば、使用者ＭがスイッチをＯＮにして電熱線を発熱させることにより、上記素材を硬くすることができる。このように素材が硬くなる掛け布団であっても、ハリを持たせることができ、前述の実施形態と同様の効果が得られる。
【００３６】
また、前述の実施形態では、第１布部２及び第２布部３に直縫い部４が設けられる例について説明した。しかしながら、第１布部２と第２布部３との間は立体マチによって仕切られていてもよい。更に、前述の実施形態では、４本の直縫い部４と１３本の硬質部５とが設けられる掛け布団１について説明したが、直縫い部及び硬質部の本数は、上記に限定されず適宜変更可能である。
【００３７】
前述の実施形態では、第１方向Ｄ１、第２方向Ｄ２及び第３方向Ｄ３が互いに直交している例について説明したが、これらの方向Ｄ１，Ｄ２，Ｄ３は、互いに交差していればよく、互いに直交していなくてもよい。更に、前述の実施形態では、第１布部２及び第２布部３が長方形状である例について説明したが、第１布部及び第２布部の形状は、長方形状でなくてもよく、適宜変更可能である。
【００３８】
また、前述の実施形態では、第１布部２、第２布部３及び硬質部５を備える掛け布団１について説明した。しかしながら、本発明に係る掛け布団は、１枚の布部と硬質部とを備えていてもよく、布部の枚数、及び布部の構成については適宜変更可能である。
【符号の説明】
【００３９】
１，１１…掛け布団、２…第１布部（布部）、２ａ，３ａ…短辺、２ｂ，３ｂ…長辺（外縁）、３…第２布部（布部）、４…直縫い部、５…硬質部、１５…第１硬質部、２５…第２硬質部、Ａ…領域、Ｄ１…第１方向、Ｄ２…第２方向、Ｆ…敷き寝具、Ｍ…使用者、Ｐ…頂部、Ｓ…空間。
【図１】
2018171264.tif 000003
【図２】
2018171264.tif 000004
【図３】
2018171264.tif 000005
【図４】
2018171264.tif 000006